【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
エポキシシランであって、少なくとも一つのエポキシ基と、少なくとも一つの加水分解基と、そして一つもしくはそれ以上の結合であって、酸素、硫黄、および窒素からなる群より選択され、少なくとも一つのヘテロ原子が窒素であり、結合においてエポキシ基と加水分解性シリル基の両方が同じ窒素ヘテロ原子へと直接もしくは間接に結合するような結合が存在しない、ヘテロ原子へと結合するカルボニル基を含有する結合とを含有する、エポキシシラン。
【請求項２】
一般式（１）：
【化３７】
2010520952.tif 000001
〔式中、
Ｒ１の各々が独立して、水素もしくは１から６個の炭素原子を含有するアルキル基であり；
Ｒ２の各々が独立して、水素、または１から１２個の炭素原子、ならびに任意選択で少なくとも一つの酸素および／もしくは硫黄原子を含有するヒドロカルビル基であって、そして、一価のアルキル、アルケニル、アレニル、アリール、およびアラルキル基；二価のアルキレン、アルケニレン、アレニレン、アリーレン、アラルキレン基であって、ここでＲ２の一つの炭素原子がエポキシ環の炭素原子に共有結合し、そしてＲ２の同じかもしくは別の炭素原子が、Ｒ３もしくはＲ４の炭素原子と共有結合し脂環式構造を形成するもの；そして多価のヒドロカルビルであって、ここでＲ２の一つの炭素原子がエポキシ環の炭素原子に共有結合し、そしてＲ２の同じおよび／もしくは別の炭素原子が、Ｒ３もしくはＲ４の炭素原子と少なくとも２つの共有結合を形成するか、またはＲ３およびＲ４の両方と少なくとも一つの共有結合をし、二環もしくは多環の脂肪族構造を形成するものからなる群より選択される；
Ｒ３の各々が、独立して水素、または１から１２個の炭素原子、および任意選択で少なくとも一つの酸素もしくは硫黄原子を含有するヒドロカルビル基であって、アルキル、アルケニル、アレニル、アリール、およびアラルキル基；二価のアルキレン、アルケニレン、アレニレン、アリーレン、およびアラルキレン基であって、ここでＲ３の一つの炭素原子がエポキシ環の炭素元素へと共有結合し、そしてＲ３の同じかもしくは別の炭素原子がＲ２もしくはＲ４の炭素原子へと共有結合し、脂環式構造を形成するもの；そして、多価のヒドロカルビルであって、ここでＲ３の一つの炭素原子がエポキシ環へと共有結合し、そしてＲ３の同じおよび／もしくは別の炭素原子がＲ２もしくはＲ４と少なくとも二つの共有結合またはＲ２もしくはＲ４の両方と少なくとも一つの共有結合を形成し、二環式のもしくは多環式の脂肪族構造を形成するものからなる群より選択される；
Ｒ４の各々が、独立して、１２個までの炭素原子、任意選択で、少なくとも一つの酸素もしくは硫黄原子を含有する二価もしくは多価のヒドロカルビル基であって、二価のアルキレン、アラルキレン、アレニル、アリーレン、およびアラルキレン基；そして多価のヒドロカルビル基であって、Ｒ４の一つの炭素原子がエポキシ環の炭素原子と共有結合し、そしてＲ４の同じもしくは別の炭素原子は、カルボニル基と結合する窒素、酸素、もしくは硫黄ヘテロ原子と結合を形成し、そして、Ｒ４の同じもしくは別の炭素原子はＲ２もしくはＲ３の炭素原子と少なくとも一つの共有結合を形成し、二環式のもしくは多環式の脂肪族構造もしくは２から１２個の炭素原子、および酸素もしくは窒素より選択される少なくとも一つのヘテロ原子を含有するヘテロカルビル基を形成するものからなる群より選択される；
Ｒ５の各々が、独立して、２４個までの炭素原子、ならびに任意選択で少なくとも一つの酸素もしくは硫黄原子を含有する二価のもしくは多価のヒドロカルビル基であって、アルキル、アルケニル、アレニル、アリール、およびアラルキル基の少なくとも一つの水素の置換によって誘導されるもの；または、二価もしくは多価の有機ポリマー基であり；
Ｒ６の各々が、１２個までの炭素原子、ならびに任意選択で少なくとも一つの酸素もしくは硫黄原子を含有する、二価のアルキレン、アルケニレン、アレニレン、アリーレン、およびアラルキレン基であり；
Ｘ１の各々が、Ｒ７Ｏ−、Ｒ７Ｃ（＝Ｏ）Ｏ−、Ｒ７２Ｃ＝ＮＯ−、およびＲ７２ＮＯ−からなる群より独立して選択され、ここでＲ７は、水素、またはアルキル、アルケニル、アレニル、アリール、およびアラルキル基からなる群より独立して選択され、水素以外のＲ７は、独立して１から１８個の炭素原子、および任意選択で少なくとも一つの酸素もしくは硫黄原子を含有し；
Ｘ２およびＸ３の各々が、Ｒ８、Ｒ８Ｏ−、Ｒ８Ｃ（＝Ｏ）Ｏ−、Ｒ８２Ｃ＝ＮＯ−、およびＲ８２ＮＯ−からなる群より独立して選択され、ここでそれぞれのＲ８は、水素、またはアルキル、アルケニル、アレニル、アリール、およびアラルキル基からなる群より独立して選択され、水素以外のＲ８は１から１８個の炭素原子、および任意選択で少なくとも一つの酸素もしくは硫黄原子を含有する；
Ａ１の各々が、二価の酸素（−Ｏ−）もしくは硫黄（−Ｓ−）から独立して選択され；
Ａ２の各々が、二価の酸素（−Ｏ−）、硫黄（−Ｓ−）、もしくは構造−ＮＲ９−〔式中、Ｒ９は独立して、水素、またはアルキル、アルケニル、アレニル、アリール、アラルキル、もしくは−Ｒ６−ＳｉＸ１Ｘ２Ｘ３基であり、水素以外のＲ９は１から１８個の炭素原子を独立して含有する〕の置換窒素から独立して選択され、ただしＡ２が酸素もしくは硫黄のとき、下のＡ３は−ＮＲ１０−であるという条件である；
Ａ３の各々が、二価の酸素（−Ｏ−）、硫黄（−Ｓ−）、もしくは、構造−ＮＲ１０−〔式中、それぞれのＲ１０は独立して、水素、またはアルキル、アルケニル、アレニル、アリール、アラルキル、もしくは−Ｒ６−ＳｉＸ１Ｘ２Ｘ３基であり、水素以外のＲ１０は１から１８個の炭素原子を独立して含有する〕の置換窒素より独立して選択され、ただし、Ａ３が酸素もしくは硫黄の時、Ａ２が−ＮＲ９−であるという条件である；
Ａ４の各々が、二価の酸素（−Ｏ−）、硫黄（−Ｓ−）、もしくは、構造−ＮＲ１１−〔式中、それぞれのＲ１１は独立して、水素、またはアルキル、アルケニル、アレニル、アリール、アラルキル、もしくは−Ｒ６−ＳｉＸ１Ｘ２Ｘ３基であり、水素以外のＲ１１は１から１８個の炭素原子を独立して含有する〕の置換窒素より独立して選択され、ただし、Ａ４が酸素もしくは硫黄の時、下のＡ５が−ＮＲ１２−であるという条件である；
Ａ５の各々が、二価の酸素（−Ｏ−）、硫黄（−Ｓ−）、もしくは、構造−ＮＲ１２−〔式中、Ｒ１２は、水素、またはアルキル、アルケニル、アレニル、アリール、アラルキル、もしくは−Ｒ６−ＳｉＸ１Ｘ２Ｘ３基であり、水素以外のＲ１２は１から１８個の炭素原子を独立して含有する〕の置換窒素より独立して選択され、ただし、Ａ２が酸素もしくは硫黄の時、Ａ４が−ＮＲ１１−であるという条件である；そして
下付き文字ｍ、ｎ、ｘ、ｙ、およびｚが独立して整数であり、ここでｍが１から６であり、ｎが１から６であり、ｘが１から６であり、ｙが０もしくは１であり、そしてｚが０もしくは１であり、ただしｙ＋ｚが１と等しいかもしくは１より大きいという条件である〕
である、請求項１のエポキシシラン。
【請求項３】
Ａ４が酸素もしくは硫黄であり、Ａ５が−ＮＨ−であり、ｍが１であり、ｘが１から６であり、ｙが０であり、ｚが１である、請求項２に記載のエポキシシラン。
【請求項４】
Ｒ５が、２４個までの炭素原子、ならびに任意選択で少なくとも一つの酸素もしくは硫黄原子を含有する二価のもしくは多価のヒドロカルビル基であって、アルキル、アルケニル、アレニル、アリール、およびアラルキル基の少なくとも一つの水素の置換によって誘導される、請求項２に記載のエポキシシラン。
【請求項５】
Ａ２が酸素もしくは硫黄であり、Ａ３およびＡ４のそれぞれが−ＮＨ−であり、Ａ５が硫黄もしくは−ＮＲ１２であり、ここでＲ１２が、１から１８個の炭素原子を含有する、アルキル、アルケニル、アレニル、アリール、アラルキル、もしくは−Ｒ６−ＳｉＸ１Ｘ２Ｘ３基であり、ｘが１から６であり、ｙが１であり、ｚが１であり、ｍが１から６であり、そしてｎが１から６である、請求項２に記載のエポキシシラン。
【請求項６】
Ａ１およびＡ２が酸素であり、Ａ３が−ＮＨ−であり、ｘが１から６であり、ｙが１であり、ｚが０であり、ｍが１から６であり、そしてｎが１から６である、請求項２に記載のエポキシシラン。
【請求項７】
Ｒ１、Ｒ２、およびＲ３のそれぞれが水素であり、Ｒ４、Ｒ５、およびＲ６のそれぞれが同じかもしくは別の二価のヒドロカルビル基であり、Ａ１およびＡ４が酸素であり、Ｘ１が−ＯＲ７であり、ここでＲ７がアルキルであり、Ｘ２およびＸ３のそれぞれが独立してＲ８もしくは−ＯＲ８であり、ここでＲ８がアルキルであり、ｘが１であり、そしてｎが１である、請求項３に記載のエポキシシラン。
【請求項８】
Ｒ４、Ｒ５、およびＲ６のそれぞれが同じかもしくは別の二価のアルキレン基であり、そしてＲ７およびＲ８が独立してメチルもしくはエチルである、請求項７に記載のエポキシシラン。
【請求項９】
Ｘ２およびＸ３のそれぞれが同じかもしくは別の−ＯＲ８基である、請求項８に記載のエポキシシラン。
【請求項１０】
Ｒ１、Ｒ２、およびＲ３のそれぞれが水素であり、Ｒ４、Ｒ５、およびＲ６のそれぞれが同じかもしくは別の二価のヒドロカルビル基であり、Ａ１およびＡ２が酸素であり、Ｘ１が−ＯＲ７であり、ここでＲ７がアルキルであり、そしてＸ２およびＸ３のそれぞれが独立してＲ８もしくは−ＯＲ８であり、ここでＲ８がアルキルであり、ｘが１であり、ｍが１であり、そしてｎが１である、請求項５に記載のエポキシシラン。
【請求項１１】
Ｒ４、Ｒ５、およびＲ６のそれぞれが同一かもしくは別のアルキレン基であり、そしてＲ７およびＲ８が独立してメチルもしくはエチルである、請求項１０に記載のエポキシシラン。
【請求項１２】
Ｘ２およびＸ３のそれぞれが同一かもしくは別の−ＯＲ８基である、請求項１１に記載のエポキシシラン。
【請求項１３】
Ｒ１、Ｒ２、およびＲ３のそれぞれが水素であり、Ｒ４、Ｒ５、およびＲ６のそれぞれが同じかもしくは別の二価のヒドロカルビル基であり、Ｘ１が−ＯＲ７であり、ここでＲ７がアルキルであり、そしてＸ２およびＸ３のそれぞれが独立してＲ８もしくは−ＯＲ８であり、ここでＲ８がアルキルであり、ｘが１であり、ｍが１であり、そしてｎが１である、請求項６に記載のエポキシシラン。
【請求項１４】
Ｒ４、Ｒ５、およびＲ６のそれぞれが同一かもしくは別のアルキレン基であり、そしてＲ７およびＲ８が独立してメチルもしくはエチルである、請求項１３に記載のエポキシシラン。
【請求項１５】
Ｘ２およびＸ３のそれぞれが同一かもしくは別の−ＯＲ８基である、請求項１４に記載のエポキシシラン。
【請求項１６】
Ｎ−（３−トリメトキシシリルプロピル）カルバミン酸オキシラニルエチルエステル；３−トリメトキシシリルプロピルカルバミン酸オキシラニルメチルエステル；［３−（トリエトキシシリル）プロピル］−カルバミン酸オキシラニルノナデシルエステル；［３−（トリエトキシシリル）プロピル］−カルバミン酸２−［２−（２−メトキシエトキシ）エトキシ］オキシラニルエチルエステル；カルバミン酸１，１−ジメチルエチル３−［［［［３−（トリエトキシシリル）プロピル］アミノ］カルボニル］オキシ］オキシラニルフェニルエステル；［３−（トリエトキシシリル）プロピル］−カルバミン酸オキシラニル−３−フェニル−２−プロペニルエステル；［３−（トリエトキシシリル）プロピル］−カルバミン酸オキシラニル３，３−ジフェニル−３Ｈ−ナフト［２，１−ｂ］ピラン−９−イルエステル；［３−（エトキシジメトキシシリル）プロピル］−カルバミン酸オキシラニルメチルエステル；［３−（ジエトキシメトキシシリル）プロピル］−カルバミン酸オキシラニルメチルエステル；［３−（トリエトキシシリル）プロピル］−カルバミン酸オキシラニル−３，３，４，４，５，５，６，６，７，７，８，８，８−トリデカフルオロオクチルエステル；［３−（トリエトキシシリル）プロピル］−カルバミン酸オキシラニル−１，３，５−ベンゼントリイルトリス（メチレン）エステル；［３−（トリエトキシシリル）プロピル］−カルバミン酸オキシラニル−１，３，５−ベンゼントリイルトリス（メチレン）エステル；［３−（トリエトキシシリル）プロピル］カルバミン酸オキシラニルフェニルメチルエステル；［３−（トリメトキシシリル）プロピル］−カルバミン酸オキシラニルエチルエステル；［３−（トリメトキシシリル）プロピル］−カルバミン酸オキシラニル−１，１−ジメチルエチルエステル；［３−（トリエトキシシリル）プロピル］−カルバミン酸オキシラニル１，１−ジエチルエチルエステル；［３−（トリメトキシシリル）プロピル］−カルバミン酸オキシラニルメチルエステル；［３−（トリエトキシシリル）プロピル］カルバミン酸オキシラニルエチルエステル；およびそれらの組み合わせからなる群より選択される、請求項１に記載のエポキシシラン。
【請求項１７】
（３，４−ビス−オキリラニルメトキシカルボニルアミノ−フェニル）−カルバミン酸２−（ジメトキシ−メチル−シラニル）エチルエステル；［３−（ジエトキシ−メチル−シラニル）−プロピル］−カルバミン酸３−オキシラニルメチルカルバモイルオキシ−２−オキシラニルメチルカルバモイルオキシメチル−プロピル−エステル；［３−（トリエトキシラニル）−プロピル］−カルバミン酸２−オキシラニルメトキシ−１−オキシラニルメトキシメチル−エチルエステル；（３−トリエトキシシラニル−プロピル）−カルバミン酸３−オキシラニルメトキシ−２−オキシラニルメトキシメチル−２−（３−トリメトキシシラニル−プロピルカルバモイルオキシメチル）−プロピルエステル；および（２−｛２−［２−（２−オキシラニルメトキシカルボニルアミノ−エトキシ）−エトキシ］−３−［（３−トリエトキシシラニル−プロピルカルバモイル）−メトキシ］−プロポキシ｝−エチル）−カルバミン酸オキシラニルメチルエステル；およびそれらの組み合わせからなる群より選択される、請求項１に記載のエポキシシラン。
【請求項１８】
硬化性組成物であって、請求項１に記載される少なくとも一つのエポキシシランと、充填剤、接着促進剤、水性溶媒、有機溶媒、湿潤剤、界面活性剤、有機樹脂塗膜形成要素、他のオルガノシラン、サイズ剤、揺変剤、帯電防止剤、紫外線安定剤、湿気除去剤、金属酸化物、触媒、酸性ｐＨ調節剤からなる群より選択される少なくとも一つの付加的な成分とを含有する、硬化性組成物。
【請求項１９】
前記充填剤が、化学的不活性無機充填剤、表面反応性無機充填剤、吸着性無機充填剤、および吸着性有機充填剤から選択される少なくとも一つの微粒子物質である、請求項１８に記載の硬化性組成物。
【請求項２０】
コーティング剤、金属表面処理剤、化成被膜剤、ゾル−ゲル、接着剤、ゴム、ガラス繊維サイズ剤、埋め込み用樹脂として配合される、請求項１８に記載の硬化性組成物。
【請求項２１】
エポキシアルコールとイソシアナトシランとを反応させることを含有する、請求項１のエポキシシランを作成するプロセス。
【請求項２２】
エポキシアルコールとポリイソシアネートとを反応させてエポキシシアネートを提供し、そして前記エポキシシアネートと二級アミノアルコキシシランおよび／もしくはメルカプトアルコキシシランとを反応させエポキシシランを提供するステップを含有する、請求項１に記載のエポキシシランを作製するプロセス。
【請求項２３】
前記ポリイソシアネートが異なった反応性のイソシアネート基を持つ、請求項２２に記載のプロセス。
【請求項２４】
前記ポリイソシアネートがＴＤＩ、ＩＰＤＩ、およびＴＭＤＩからなる群より選択される、少なくとも一つのジイソシアネートである、請求項２３に記載のプロセス。
【請求項２５】
ポリイソシアネートとアミノアルコキシシランおよび／もしくはメルカプトアルコキシシランとを反応させイソシアナトシランを提供し、そして前記イソシアナトシランとエポキシアルコールとを反応させエポキシシランを提供するステップを含有する、請求項１に記載のエポキシシランを作製するプロセス。
【請求項２６】
前記ポリイソシアネートが異なった反応性のイソシアネート基を持つ、請求項２５に記載のプロセス。
【請求項２７】
前記ポリイソシアネートがＴＤＩ、ＩＰＤＩ、およびＴＭＤＩからなる群より選択される、少なくとも一つのジイソシアネートである、請求項２６に記載のプロセス。
【請求項２８】
エポキシアルコールとエチレン性不飽和イソシアネートとを反応させエチレン性不飽和エポキシドを提供し、そして前記エチレン性不飽和エポキシドとヒドリドアルキルアルコキシシランとを反応させエポキシシランを提供するステップを含有する請求項１に記載のエポキシシランを作製するプロセス。
【請求項２９】
ハロカルビルシランとシアネートとをエチレン性不飽和アルコールの存在下で反応させエチレン性不飽和アルコキシシランを提供し、そして前記エチレン性不飽和アルコキシシランをエポキシ化してエポキシシランを提供するステップを含有する請求項１に記載のエポキシシランを作製するプロセス。
【請求項３０】
請求項２１〜２９のいずれか一項に記載のプロセスによって製造される、請求項１に記載のエポキシシラン。